(57)【要約】【課題】タモ網への釣魚の取り込みを阻害せず、水およびおとり魚を収容した状態での釣り場移動やおとり魚交換が楽な生簀袋、および生簀袋を備えたタモ網が求められている。【解決手段】生簀袋１は、少なくとも一時的に溜水可能で上面に開口部４を有する袋体３を形成し、タモ網の網体固定用の網枠部３２の内周面に着脱可能に添着される固定用杆９と、固定用杆９の両端にそれぞれヒンジ部を介して架け渡された可撓杆１０とから開口開閉部を構成し、当該開口開閉部を袋体３の開口部４に取り付け、開口開閉部の固定用杆９がタモ網の網枠部３２に添着された状態で、可撓杆１０が、固定用杆９に近接した開口部閉止位置と、固定用杆９から離れた開口部開放位置との間でヒンジ部を介して揺動自在となるように、固定用杆９および可撓杆１０を構成してある。袋体３は遮光性シート材で構成されている。【選択図】　　　図６
2004073022.tif 000002
【特許請求の範囲】
【請求項１】
少なくとも一時的に溜水可能で上面に開口部を有する袋体を形成し、タモ網の網体固定用の網枠部の内周面に着脱可能に添着される固定用杆と、固定用杆の両端にそれぞれヒンジ部を介して架け渡された可撓杆とから開口開閉部を構成し、当該開口開閉部を袋体の開口部に取り付け、開口開閉部の固定用杆がタモ網の網枠部に添着された状態で、可撓杆が、固定用杆に近接した開口部閉止位置と、固定用杆から離れた開口部開放位置との間でヒンジ部を介して揺動自在となるように、固定用杆および可撓杆を構成したことを特徴とする生簀袋。
【請求項２】
袋体が遮光性シート材で構成されている請求項１に記載の生簀袋。
【請求項３】
柄部と、柄部の先端に連結された環状の網枠部と、網枠部に取り付けられた網体とを備えたタモ網において、少なくとも一時的に溜水可能に形成されて上面に開口部を有する袋体と、網枠部に離間して設けられた２つのヒンジ部と、２つのヒンジ部を介して網枠部に架け渡された可撓杆とを備え、袋体は網枠部の内側に配置されるとともに袋体の開口部が２つのヒンジ部間の網枠部と可撓杆とに取り付けられ、可撓杆は、２つのヒンジ部間の網枠部に近接した開口部閉止位置と、２つのヒンジ部間の網枠部から離れた開口部開放位置との間でヒンジ部を介して揺動自在となるように構成されていることを特徴とするタモ網。
【発明の詳細な説明】
【０００１】
【発明の属する技術分野】
本発明は、おとり魚を一時的に収容する生簀袋、および生簀袋の機能を一体に備えたタモ網に関するものである。
【０００２】
【従来の技術】
従来、生簀袋の機能を備えたタモ網としては、図１３および図１４に示すようなタモ網５０が知られている。タモ網５０は、柄部３１と、柄部３１の先端に連結された環状の網枠部３２と、上面に網開口３４を有する筒状の網体３３ａを備えている。網体３３ａは例えばナイロン糸で編まれており、網開口３４の周縁部が網枠部３２の全周にわたって取り付けられている。網体３３ａの底面開口には、水Ｗを溜めて魚Ｆを収容できる生簀袋部３５が取り付けられている。
【０００３】
上記のタモ網５０は鮎の友釣りに用いられる。かかる友釣りにおいて、鼻環などにより道糸につないだおとり鮎を泳がせると、縄張り意識の強い野鮎がおとり鮎に体当たりして針に掛かる。そこで、釣人は網体３３ａの網開口３４が前方を向くように一方の手でタモ網５０を構え、他方の手で竿を立てておとり鮎および野鮎を網体３３ａ内に取り込む。このようにして釣り上げられた野鮎は活きがよいため、これまで用いてきたおとり鮎と生簀袋部３５内で交換されることがある。
【０００４】
【発明が解決しようとする課題】
ところで、生簀袋部３５は水が入っていたり水を含んだりして重くなっているため、取り込みの際にタモ網５０を立てると、図１４のように、網体３３ａが垂れ下がる。これにより、網体３３ａの胴部３６ａは網開口３４の直後位置に壁状に存在することとなる。従って、釣り上げられて矢印Ｓのように飛来してきたおとり鮎および野鮎が、胴部３６ａに撥ね返されて網開口３４から飛び出してしまうことがある。
一方、うまく取り込んだとしても、おとり鮎や野鮎が生簀袋部３５内で暴れることがある。その際、生簀袋部３５が針により破れて水漏れを生じ使い物にならなくなることがあった。このように、生簀袋部３５が破損した場合は、網体３３ａその他が傷んでいないにも拘わらずタモ網５０全体を交換したり修理に出さなければならず、出費が嵩むという問題がある。
【０００５】
他方で、例えば腰まで浸かって友釣りをしているような状況では、タモ網５０の下部に位置している生簀袋部３５が川中に没して流水により大きくそよぐ。そのため、生簀袋部３５内でのおとり鮎の交換作業が非常に困難となる。
また、生簀袋部３５は柄部３１から比較的遠い位置（網体３３ａの下方）にあるので、生簀袋部３５を川面から引き上げた状態にして岩場や陸上を移動する際に、水や鮎を収容した生簀袋部３５がブラブラと大きく揺れる。そのため、手で持った状態が不安定になり移動を困難にするという問題もあった。
【０００６】
本発明は、上記した従来の問題点に鑑みてなされたものであり、タモ網への釣魚の取り込みを阻害せず、水およびおとり魚を収容した状態での釣り場移動やおとり魚交換が楽な生簀袋およびタモ網の提供を目的とする。
【０００７】
【課題を解決するための手段】
上記目的を達成するために、本発明に係る生簀袋は、少なくとも一時的に溜水可能で上面に開口部を有する袋体を形成し、タモ網の網体固定用の網枠部の内周面に着脱可能に添着される固定用杆と、固定用杆の両端にそれぞれヒンジ部を介して架け渡された可撓杆とから開口開閉部を構成し、当該開口開閉部を袋体の開口部に取り付け、開口開閉部の固定用杆がタモ網の網枠部に添着された状態で、可撓杆が、固定用杆に近接した開口部閉止位置と、固定用杆から離れた開口部開放位置との間でヒンジ部を介して揺動自在となるように、固定用杆および可撓杆を構成してある。
【０００８】
また、前記構成において、袋体が遮光性シート材で構成されているものである。
【０００９】
そして、本発明に係るタモ網は、柄部と、柄部の先端に連結された環状の網枠部と、網枠部に取り付けられた網体とを備えたタモ網において、少なくとも一時的に溜水可能に形成されて上面に開口部を有する袋体と、網枠部に離間して設けられた２つのヒンジ部と、２つのヒンジ部を介して網枠部に架け渡された可撓杆とを備え、袋体は網枠部の内側に配置されるとともに袋体の開口部が２つのヒンジ部間の網枠部と可撓杆とに取り付けられ、可撓杆は、２つのヒンジ部間の網枠部に近接した開口部閉止位置と、２つのヒンジ部間の網枠部から離れた開口部開放位置との間でヒンジ部を介して揺動自在となるように構成されているものである。
【００１０】
【発明の実施の形態】
以下、本発明の実施の形態を図面に基づいて説明する。
図１は本発明の一実施形態に係る生簀袋を示す外観図、図２は前記生簀袋の背面図、図３は前記生簀袋の平面図、図４は図３におけるＡ−Ａ線矢視断面図、図５は前記生簀袋に用いる開口開閉部を示す斜視図、図６は前記生簀袋の側断面図であり後述の図７におけるＢ−Ｂ線矢視断面図である。
各図において、この実施形態に係る生簀袋１は上面に開口部４を有する袋体３を備えている。袋体３は、水が透過しにくい例えばナイロンモノフィラメントで織成されたシート材２を原料素材として形成されている。この例において、シート材２は例えば厚手に織成された遮光性シートである。袋体３の形成については、２枚のシート材２がそれぞれの裏面を外側にしてつき合わされ、その状態で、左辺、下辺、右辺が縫い合せ部分１４（図３参照）のように縫合されて仮袋体とされる。次に、仮袋体が内外ひっくり返されて、シート材２，２の裏面が袋の内側にされる。これにより、開口部４を有する袋体３ができあがる。
【００１１】
尚、袋体３を構成するシート材２の素材および袋形成態様は、袋体３を一時的に溜水可能な状態に形成できれば特に限定されない。例えば、シート材の素材としては、他に例えば、裏面がゴム引きされた軟質ポリ塩化ビニルシート、ポリエチレン繊維製やポリエステル繊維製の織地、少なくとも片面がアルミニウム蒸着面であるシートなどが挙げられる。また、袋体を形成する態様としては、既述の縫製に限らず、例えば袋体を構成する素材が熱可塑性樹脂シートの場合にヒータや高周波による熱溶着、あるいは、接着剤による接着であってもよい。
上記した「一時的に溜水可能」とは、タモ網を川面から引き上げて所望の場所まで移動する間（鮎の場合、例えば２〜４分間程度）におとり魚が生存可能な量の水を袋体３内に溜めておける態様をいう。但し、それ以上の長時間に水を溜めておけるものであってもよい。
【００１２】
続いて、開口部４の周縁部の内面に、後述する弦弧枠状の開口開閉部５があてがわれる。その状態で開口部４の周縁部が内側に折り返され、その折り返し端部が縫目８や縫目２０のように縫着されることにより、開口開閉部５を収容した袋空間１８および袋空間１９（図６参照）が開口部４の全周に形成される。これらの袋空間１８および袋空間１９は開口部４の周方向に連通している。このように形成された開口部４の周縁は、袋空間１９を囲む開口縁部２１と、袋空間１８を囲む開口縁部２２と成っている。
【００１３】
開口開閉部５（図５参照）は、長尺板状の固定用杆９と、固定用杆９の両端にそれぞれヒンジ部１１，１１を介して架け渡される長尺板状の可撓杆１０とから構成されている。固定用杆９は長手寸法が長さＮであり、可撓杆１０は長手寸法が長さＭである（図３参照）。可撓杆１０の長さＭは固定用杆９の長さＮよりも短く設定されている。これらの固定用杆９および可撓杆１０は弾性を有して適度に撓む合成樹脂（例えばポリプロピレンやポリ塩化ビニル）で構成されている。それぞれのヒンジ部１１は、固定用杆９の端部に設けられた軸穴部１５，１５と、可撓杆１０の端部に設けられた軸穴部１６と、軸穴部１５，１５および軸穴部１６に回動自由に軸支されたピン１７とから構成されている。
【００１４】
固定用杆９の上辺には、後方に湾曲垂下した４つの掛止部材６，６，６，６が適宜間隔で立設されている。掛止部材６，６，６，６は開口縁部２１に形成された長穴１２，１２，１２，１２からそれぞれ上方に露出しており、固定用杆９をタモ網３０の網枠部３２（図７、図８参照）の内周面に着脱可能に添着するために用いられる。
尚、固定用杆９をタモ網３０の網枠部３２に固定するための掛止部材は、固定用杆９でなく網枠部３２の方に設けてもよい。
可撓杆１０の上辺には、可撓杆１０を手で操作するための把手片７が立設されている。把手片７は開口縁部２２に形成された長穴１３から上方に露出している。
【００１５】
上記のように構成された生簀袋１は、図７に示すように、一般汎用のタモ網３０に取り付けられる。タモ網３０は、手で持たれる柄部３１と、柄部３１の先端に連結された平面視円環状の網枠部３２と、網開口３４を有する袋状の網体３３とから成っている。網体３３は例えばナイロン糸で編まれており、網開口３４の周縁部が網枠部３２の全周にわたって取り付けられている。
そこで、網体３３の内側に配置した生簀袋１の掛止部材６，６，６，６を網枠部３２に上方から嵌着して掛止させることにより、固定用杆９を内蔵した開口縁部２１を柄部３１近傍の網枠部３２の内周面に添わせて密着させる。この場合、可撓杆１０の長さＭと固定用杆９の長さＮとの関係は、開口縁部２１を網枠部３２の内周面に密着させるように固定用杆９を撓めたとき、可撓杆１０が湾曲し、開口縁部２２が開口縁部２１に近接する開口部閉止位置にくるように設定されている。図７では、袋体３の開口部４が全閉となっている。
【００１６】
前記の状態にされた生簀袋１付きのタモ網３０は、図８に示すように、鮎の友釣りに用いられる。この友釣りの仕掛けは、釣竿（図示省略）に結び付けられた道糸４０と、道糸４０に結び付けられた鼻環４１およびハリス４２と、ハリス４２の先端に結び付けられた針４３などで構成されている。友釣りに用いるおとり鮎Ｆは鼻に鼻環４１が掛けられ尻部に尻針が掛けられている。
上記の仕掛けでおとり鮎Ｆを泳がせると、野鮎Ｆｃがおとり鮎Ｆを攻撃し、そのうち野鮎Ｆｃが針４３に掛かる。そこで、釣人は網体３３の網開口３４が前方を向くように一方の手でタモ網３０を立てて構える（図８参照）。このとき、網体３３はナイロン糸製であるため水が含浸しにくく一定以上の剛性を有している。加えて、比較的重みのある生簀袋１は柄部３１の近くで網枠部３２に支持されているから、網体３３の胴部３６は垂れ下がることがなく、網開口３４から離れた後方位置で展張状態にある。
【００１７】
そこで、釣竿を他方の手で立てると、おとり鮎Ｆおよび野鮎Ｆｃが川面から引き抜かれタモ網３０に向かって矢印Ｓのように飛来し、網開口３４から網体３３内に取り込まれる。このとき、生簀袋１は開口縁部２２が網枠部３２に沿って閉じていて矢印Ｓ方向から見ると網枠部３２に密着しているため、おとり鮎Ｆおよび野鮎Ｆｃの捕りこみを阻害しない。また、網体３３の胴部３６は網開口３４から奥深く位置しているため、飛び込んできたおとり鮎Ｆや野鮎Ｆｃを撥ね返したりせず、網体３３内に確実に収容することができる。
網体３３に取り込まれた野鮎Ｆｃは針４３から外されて、曳き船に収容されたり、あるいはおとり鮎と交換される。この場合、生簀袋１がタモ網３０の網枠部３２に取り付けられていることと、タモ網３０の底部が水流抵抗の少ない網体３３であることから、流水による生簀袋１のそよぎは小さい。そのため、袋体３内での鮎交換を容易に行うことができる。
【００１８】
一方、生簀袋１に対しおとり鮎Ｆを出し入れする場合、釣人は把手片７を網枠部３２の中心に向けて引く。すると、可撓杆１０がヒンジ部１１，１１を介して揺動し開口縁部２２が開口縁部２１から離れた開口部開放位置（図９に示した符号２２の位置）に達する。これにより、開口部４が全開となる。
その状態で水Ｗをすくって袋体３内に溜める。そして、おとり鮎Ｆを水Ｗ中に収容する。シート材２は完全防水性のシートでなく、袋体３も縫糸による縫製で形成されているため、袋体３内に溜めた水Ｗは少しずつ漏れていく。しかしながら、おとり鮎Ｆを生かしておける時間（例えば４分間程度）内は、おとり鮎Ｆが浸る量の水Ｗを溜めておくことができる。但し、シート材２として完全防水性シートを用いるとともにヒートシールなどで水漏れなく袋体３を製作すれば、より良いことは言うまでもない。
そうして、袋体３の水Ｗ中におとり鮎Ｆを収容したタモ網３０を片手で持ち、他方の手で釣竿を持って釣り場を移動する。このとき、袋体３は網枠部３２にしっかりと添着されているので、ブラブラしない。また、袋体３は柄部３１の真近にあるので、安定性がよく移動を妨げない。従って、生簀袋１付きのタモ網３０は、陸上や岩場を経由して釣場移動をする際に極めて便利である。
【００１９】
一方、開口縁部２２を開口縁部２１に向けて押すと、開口縁部２２が開口縁部２１に密着して開口部４が全閉にされる。この場合、袋体３のシート材２は遮光性シートであるので、袋体３内が暗くなる。これにより、おとり鮎Ｆはおとなしくなり全く暴れない。従って、おとり鮎Ｆの魚体が傷んだり体力を消耗したりすることがなく、活きの良さを長時間継続させることができる。同時に、おとり鮎Ｆの暴れによる袋体３の破損がほとんど無くなった。
【００２０】
釣りを終えたのちは、掛止部材６，６，６，６，６を網枠部３２から外すことにより、生簀袋１がタモ網３０から分離される。これにより、生簀袋１を畳んで釣具袋などに納めることができるし、タモ網３０を単独で使用することもできる。また、袋体３が破損したときは、生簀袋１だけを取り替えれば済むので経済的である。
【００２１】
尚、上記の実施形態では、軸穴部とピンを組み合わせたヒンジ部を有する開口開閉部の例を示したが、本発明はそれに限定されない。例えば、図１０に示すような開口開閉部５Ａも本発明に含まれる。
この開口開閉部５Ａは、既述した固定用杆９とほぼ同じ形状の固定用杆９Ａと、既述した可撓杆１０とほぼ同じ形状の可撓杆１０Ａとがそれぞれの両端でヒンジ部１１Ａ，１１Ａを介して一体に連結されている。開口開閉部５Ａは、可撓性を有する例えばポリプロピレンなどの合成樹脂を成型原料として一体成型により得られる。上記のヒンジ部１１Ａは、固定用杆９Ａおよび可撓杆１０Ａと比べて厚さが薄く折り曲げ可能な薄肉部２３として構成されており、固定用杆９Ａに対し可撓杆１０Ａを揺動自由にしている。かかる開口開閉部５Ａは構成が簡素であり、部品点数が少なくて済む。
【００２２】
また、例えば、図１１に示すような開口開閉部５Ｂも本発明に含まれる。この開口開閉部５Ｂでは、袋体３の開口部４周縁のシート材２を折り返して袋縫いとすることにより、互いに独立した袋空間１８Ａと袋空間１９Ａとが形成されている。袋空間１９Ａ内には、軸穴部１５，１５，１５，１５，１５（上記の固定用杆９）を持たない固定用杆９Ｂが収容されている。袋空間１８Ａ内には、軸穴部１６，１６（上記の可撓杆１０）を持たない可撓杆１０Ｂが収容されている。袋空間１８Ａと袋空間１９Ａの両端はシート材２の縫付けにより区画されており、この縫付け部が、袋空間１９Ａ内の固定用杆９Ｂと袋空間１８Ａ内の可撓杆１０Ｂとを揺動自在とするヒンジ部１１Ｂと成っている。かかる開口開閉部５Ｂによれば、固定用杆９Ｂおよび可撓杆１０Ｂの構成が極めて簡素であり、縫製を主作業とする工場であれば容易に大量製作することができる。
【００２３】
更には、図１２に示すように、生簀袋１Ａを網枠部３２に一体に設けたタモ網３０Ａも本発明に含まれる。
タモ網３０Ａは、網枠部３２の内周面における柄部３１の両側位置に、軸穴部２４，２４が離間して設けられている。生簀袋１Ａは、既述した生簀袋１とほぼ同じ構成であるが、生簀袋１における掛止部材６，６，６，６は備えていない。また、生簀袋１のヒンジ部１１に軸穴部２４を加えた構成のヒンジ部１１Ｃが用いられる。すなわち、それぞれの軸穴部２４にピン１７が軸支され、ピン１７に可撓杆１０の軸穴部１６と固定用杆９の軸穴部１５，１５（図５参照）が枢支されている。
【００２４】
そして、固定用杆９（図示省略）を内蔵した開口部４の開口縁部２１は、軸穴部２４，２４間の網枠部３２内周面に沿って配置され、網枠部３２を貫通するビス２５，２５，２５，２５，２５，２５が固定用杆９に螺止されることにより網枠部３２に一体に固定されている。また、開口部４の開口縁部２２に内蔵された可撓杆１０（図示省略）がヒンジ部１１Ｃ，１１Ｃを介して揺動自在に網枠部３２に架け渡されている。
このタモ網３０Ａも、開口縁部２２が、開口縁部２１に密着した開口部閉止位置と、開口縁部２１から離れた開口部開放位置（図１２に示した符号２２の位置（全開位置））との間で開閉するようになっている。
【００２５】
尚、タモ網における生簀袋の取り付け位置は、柄部の近傍に限らず、柄部から見て右側位置、対面位置、または左側位置の網枠部に取り付けても構わない。但し、おとり鮎および野鮎の捕りこみを考慮すると、既述のような柄部の近傍が最も好ましい。
【００２６】
【発明の効果】
以上詳述したように、本発明に係る生簀袋は、タモ網の網枠部に対し着脱自在に添着されるようになっているので、袋体が破損してもタモ網全体を交換するのでなく生簀袋だけを取り替えることができ、無用な出費を抑えることができる。また、生簀袋単独で製造・販売取引をすることができる。また、可撓杆を固定用杆に近接させて袋体の開口部を閉じた状態では、タモ網への釣魚の取り込みが阻害されない。可撓杆を固定用杆から離して袋体の開口部を開くと、袋体内に水およびおとり魚を収容して釣り場移動やおとり魚の交換を行うことができる。
【００２７】
また、袋体が遮光性シート材で構成されている場合は、袋体の開口部を閉じると袋体内が暗くなるため、袋体内に収容された魚の暴れを抑えることができる。
【００２８】
そして、本発明に係るタモ網は、前記した生簀袋の機能を併せ持っているので、上述のように、タモ網への釣魚の取り込みを阻害することがなく、袋体に水およびおとり魚を収容した状態で釣り場移動やおとり魚交換を楽に行うことができる。
【図面の簡単な説明】
【図１】本発明の一実施形態に係る生簀袋を示す外観図である。
【図２】前記生簀袋の背面図である。
【図３】前記生簀袋の平面図である。
【図４】図３におけるＡ−Ａ線矢視断面図である。
【図５】前記生簀袋に用いる開口開閉部を示す斜視図である。
【図６】前記生簀袋の側断面図であり後述の図７におけるＢ−Ｂ線矢視断面図である。
【図７】前記生簀袋をタモ網に取り付けた状態を示す平面図である。
【図８】前記生簀袋を取り付けたタモ網でおとり鮎および野鮎を捕りこむ態様を示す説明図である。
【図９】水を溜めた生簀袋におとり鮎を収容した態様を示す説明図である。
【図１０】本発明の別の実施形態に係る生簀袋に用いる開口開閉部を示す斜視図である。
【図１１】本発明の更に別の実施形態に係る生簀袋に用いる開口開閉部を示す平断面図である。
【図１２】本発明の他の実施形態に係る生簀袋と一体型のタモ網を示す平面図である。
【図１３】従来のタモ網を示す側面図である。
【図１４】前記従来のタモ網でおとり鮎および野鮎を捕りこむ態様を示す説明図である。
【符号の説明】
１，１Ａ　生簀袋
２　　シート材
３　　袋体
４　　開口部
５，５Ａ，５Ｂ　開口開閉部
６　　掛止部材
９，９Ａ，９Ｂ　固定用杆
１０，１０Ａ，１０Ｂ　可撓杆
１１，１１Ａ，１１Ｂ，１１Ｃ　ヒンジ部
１５，１６　軸穴部
１７　ピン
２１，２２　開口縁部
２３　薄肉部
２４　軸穴部
２５　ビス
３０，３０Ａ　タモ網
３１　柄部
３２　網枠部
３３　網体
Ｍ，Ｎ　　長さ
Ｆ　　おとり鮎
Ｗ　　水
【図１】
2004073022.tif 000003
【図２】
2004073022.tif 000004
【図３】
2004073022.tif 000005
【図４】
2004073022.tif 000006
【図５】
2004073022.tif 000007
【図６】
2004073022.tif 000008
【図７】
2004073022.tif 000009
【図８】
2004073022.tif 000010
【図９】
2004073022.tif 000011
【図１０】
2004073022.tif 000012
【図１１】
2004073022.tif 000013
【図１２】
2004073022.tif 000014
【図１３】
2004073022.tif 000015
【図１４】
2004073022.tif 000016